(57)【要約】【課題】本発明はマウスカバーを開示した。【解決手段】敷き板を含み、マッサージをする時、前記モータが起動して前記回転ロッドを連動させて回転させ、前記回転ロッドが回転して前記回転盤を連動させて回転させ、前記回転盤が前記ヒンジ連結ロッドにより前記ラックを連動させて左右へ移動させ、前記ラックが左右へ移動して前記ギヤと前記マッサージロッドを往復回転させ、前記マッサージ輪が手部をマッサージすることができ、使用者の手部の疲れを取り、またパッドを移動することにより使用者が腕を支持する位置を調整でき、巻き取り機構はマウスのワイヤを巻き取って収納することができる。【選択図】図１
2020181547.tif 000002
【特許請求の範囲】
【請求項１】
正面視で、敷き板を含み、前記敷き板の中には前へ開口したスライド溝が左右対称的に設置され、前記スライド溝の中にはスライドロッドがスライドできるように装着され、前記スライドロッドの中にはリミット溝が設置され、前記スライド溝にはばねチャンバが連通して設置され、前記ばねチャンバの中にはリミットブロックがスライドできるように装着され、前記リミットブロックが前記リミット溝の中に引っかかることができ、前記リミットブロックと前記ばねチャンバとの間にはばねが固定的に装着され、左右の前記スライドロッドの前側端面には腕を支持できるパッドが固定的に装着され、前記パッドを使用して腕を支持する時、前記パッドを引き動かして前記パッドと前記敷き板との間の距離を調整し、前記パッドの腕を支持する位置を調整し、前記敷き板の中には加熱箱が固定的に装着され、前記加熱箱の中には加熱チャンバが設置され、前記加熱チャンバの前後内壁の間には加熱できるヒーターストリップが固定的に装着され、前記敷き板の中にはマッサージ箱が固定的に装着され、前記マッサージ箱の中にはマッサージできるマッサージ機構が設置され、前記マッサージ機構は前記マッサージ箱の中に設置されている回転チャンバを含み、前記回転チャンバの後側内壁の中には前記マッサージ機構に動力を提供するモータが固定的に装着され、前記敷き板の頂部端面には保温できる綿布が固定的に装着され、前記綿布の前側端面には輪ゴムが固定的に装着され、前記綿布の後側端面には線入り口が設置され、前記綿布の後側端面にはマウスのワイヤを巻き取ることができる巻き取り機構が固定的に装着されていることを特徴とするマウスカバー。
【請求項２】
前記マッサージ機構はまた、前記モータの前向きの出力軸の前側端面に固定的に装着されている回転ロッドを含み、前記回転ロッドには回転盤が固定的に装着され、前記回転盤の前側端面にはヒンジ連結ロッドがヒンジにより連結され、前記回転チャンバの右側にはラックチャンバが連通して設置され、前記ラックチャンバの中にはラックがスライドできるように装着され、前記ラックが前記ヒンジ連結ロッドとヒンジにより連結され、前記ラックチャンバの上方にはマッサージチャンバが左右対称的に連通して設置され、前記マッサージチャンバの前後内壁の間には補助ロッドが回転できるように装着され、前記補助ロッドにはギヤが固定的に装着され、前記ギヤが前記ラックと噛み合っており、前記補助ロッドにおいて前記ギヤの前側にはマッサージロッドが固定的に装着され、前記マッサージロッドには伝動ロッドが左右対称的に回転できるように装着され、前記伝動ロッドにはマッサージ輪が固定的に装着され、前記マッサージ箱の頂部端面は軟質材料であり、マッサージをする時、前記モータが起動して前記回転ロッドを連動させて回転させ、前記回転ロッドが回転して前記回転盤を連動させて回転させ、前記回転盤が前記ヒンジ連結ロッドにより前記ラックを連動させて左右へ移動させ、前記ラックが左右へ移動して前記ギヤと前記マッサージロッドを往復回転させ、前記マッサージ輪が手部をマッサージすることができることを特徴とする請求項１に記載のマウスカバー。
【請求項３】
前記巻き取り機構は前記綿布の後側端面に固定的に装着されている巻き取り箱を含み、前記巻き取り箱の中には前記線入り口と連通している巻き取りチャンバが設置され、前記巻き取りチャンバの左右内壁の間には固定板が固定的に装着され、前記固定板の後側端面には前記巻き取り箱の後側端面を貫通している巻き取りロッドが回転できるように装着され、前記巻き取りロッドの後側端面にはつまみが固定的に装着され、前記巻き取り箱の左側端面には固定ブロックが前後対称的に固定的に装着され、前後の前記固定ブロックの間には連結ロッドが回転できるように装着され、前記連結ロッドには連結板が固定的に装着され、前記巻き取りチャンバの後側内壁には線出孔が設置され、前記巻き取り箱の頂部端面には上へ開口した引っ掛かり溝が設置され、前記連結板にはカバー板が固定的に装着され、前記カバー板の底部端面には引っ掛かりブロックが固定的に装着され、前記引っ掛かりブロックが前記引っ掛かり溝の中に引っかかることができ、マウスのワイヤを前記線入り口を通して前記巻き取りロッドに巻き取り、また前記線出孔を通して出すことができ、マウスカバー内のマウスのワイヤの長さを調整しようとする時、前記つまみを回転させることにより前記巻き取りロッドを連動させて回転させ、これによりマウスカバー内のマウスのワイヤの長さを調整することを実現することを特徴とする請求項１に記載のマウスカバー。
【発明の詳細な説明】
【技術分野】
【０００１】
本発明はマウスカバー分野を取り上げて、具体的にはマウスカバーである。
【背景技術】
【０００２】
一般的なマウスカバーは加熱保温の機能だけを有し、使用者の手部をマッサージすることができなく、しかも一般的なマウスカバーはパッドによって腕を支持する位置を調整できなく、マウスカバーを使用する時に使用者を不快にさせ、他にマウスのワイヤを巻いて収納することもできない。
【先行技術文献】
【特許文献】
【０００３】
【特許文献１】中国特許出願公開第１０６８５５７５３号明細書
【発明の概要】
【発明が解決しようとする課題】
【０００４】
本発明はマウスカバーを提供し、従来技術における上記欠点を解消することを目的とする。
【課題を解決するための手段】
【０００５】
本発明の実施例のマウスカバーは、敷き板を含み、前記敷き板の中には前へ開口したスライド溝が左右対称的に設置され、前記スライド溝の中にはスライドロッドがスライドできるように装着され、前記スライドロッドの中にはリミット溝が設置され、前記スライド溝にはばねチャンバが連通して設置され、前記ばねチャンバの中にはリミットブロックがスライドできるように装着され、前記リミットブロックが前記リミット溝の中に引っかかることができ、前記リミットブロックと前記ばねチャンバとの間にはばねが固定的に装着され、左右の前記スライドロッドの前側端面には腕を支持できるパッドが固定的に装着され、前記パッドを使用して腕を支持する時、前記パッドを引き動かして前記パッドと前記敷き板との間の距離を調整し、前記パッドの腕を支持する位置を調整し、前記敷き板の中には加熱箱が固定的に装着され、前記加熱箱の中には加熱チャンバが設置され、前記加熱チャンバの前後内壁の間には加熱できるヒーターストリップが固定的に装着され、前記敷き板の中にはマッサージ箱が固定的に装着され、前記マッサージ箱の中にはマッサージできるマッサージ機構が設置され、前記マッサージ機構は前記マッサージ箱の中に設置されている回転チャンバを含み、前記回転チャンバの後側内壁の中には前記マッサージ機構に動力を提供するモータが固定的に装着され、前記敷き板の頂部端面には保温できる綿布が固定的に装着され、前記綿布の前側端面には輪ゴムが固定的に装着され、前記綿布の後側端面には線入り口が設置され、前記綿布の後側端面にはマウスのワイヤを巻き取ることができる巻き取り機構が固定的に装着されている。
【０００６】
更の技術プランとしては、前記マッサージ機構はまた、前記モータの前向きの出力軸の前側端面に固定的に装着されている回転ロッドを含み、前記回転ロッドには回転盤が固定的に装着され、前記回転盤の前側端面にはヒンジ連結ロッドがヒンジにより連結され、前記回転チャンバの右側にはラックチャンバが連通して設置され、前記ラックチャンバの中にはラックがスライドできるように装着され、前記ラックが前記ヒンジ連結ロッドとヒンジにより連結され、前記ラックチャンバの上方にはマッサージチャンバが左右対称的に連通して設置され、前記マッサージチャンバの前後内壁の間には補助ロッドが回転できるように装着され、前記補助ロッドにはギヤが固定的に装着され、前記ギヤが前記ラックと噛み合っており、前記補助ロッドにおいて前記ギヤの前側にはマッサージロッドが固定的に装着され、前記マッサージロッドには伝動ロッドが左右対称的に回転できるように装着され、前記伝動ロッドにはマッサージ輪が固定的に装着され、前記マッサージ箱の頂部端面は軟質材料である。
【０００７】
更の技術プランとしては、前記巻き取り機構は前記綿布の後側端面に固定的に装着されている巻き取り箱を含み、前記巻き取り箱の中には前記線入り口と連通している巻き取りチャンバが設置され、前記巻き取りチャンバの左右内壁の間には固定板が固定的に装着され、前記固定板の後側端面には前記巻き取り箱の後側端面を貫通している巻き取りロッドが回転できるように装着され、前記巻き取りロッドの後側端面にはつまみが固定的に装着され、前記巻き取り箱の左側端面には固定ブロックが前後対称的に固定的に装着され、前後の前記固定ブロックの間には連結ロッドが回転できるように装着され、前記連結ロッドには連結板が固定的に装着され、前記巻き取りチャンバの後側内壁には線出孔が設置され、前記巻き取り箱の頂部端面には上へ開口した引っ掛かり溝が設置され、前記連結板にはカバー板が固定的に装着され、前記カバー板の底部端面には引っ掛かりブロックが固定的に装着され、前記引っ掛かりブロックが前記引っ掛かり溝の中に引っかかることができる。
【発明の効果】
【０００８】
本発明の有益効果は：本発明は加熱保温機能を備えると同時に使用者の手部をマッサージすることができ、使用者の手部の疲れを取り、またパッドを移動することにより使用者が腕を支持する位置を調整でき、巻き取り機構はマウスのワイヤを巻き取って収納することができ、普及の価値がある。
【図面の簡単な説明】
【０００９】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成模式図
【図２】図２は図１の中のＡ−Ａ方向の断面構成模式図
【図３】図３は図１の中のＢ−Ｂ方向の断面構成模式図
【図４】図４は図３の中のＣの拡大模式図
【図５】図５は図３の中のＤ−Ｄ方向の断面構成模式図
【図６】図６は図４の中のＥ−Ｅ方向の断面構成模式図
【図７】図７は図５の中のＦ−Ｆ方向の断面構成模式図
【発明を実施するための形態】
【００１１】
図１〜７を参照し、本発明の実施例のマウスカバーは、敷き板２０を含み、前記敷き板２０の中には前へ開口したスライド溝１８が左右対称的に設置され、前記スライド溝１８の中にはスライドロッド２１がスライドできるように装着され、前記スライドロッド２１の中にはリミット溝１９が設置され、前記スライド溝１８にはばねチャンバ２３が連通して設置され、前記ばねチャンバ２３の中にはリミットブロック２２がスライドできるように装着され、前記リミットブロック２２が前記リミット溝１９の中に引っかかることができ、前記リミットブロック２２と前記ばねチャンバ２３との間にはばね２４が固定的に装着され、左右の前記スライドロッド２１の前側端面には腕を支持できるパッド１２が固定的に装着され、前記パッド１２を使用して腕を支持する時、前記パッド１２を引き動かして前記パッド１２と前記敷き板２０との間の距離を調整し、前記パッド１２の腕を支持する位置を調整し、前記敷き板２０の中には加熱箱１７が固定的に装着され、前記加熱箱１７の中には加熱チャンバ１６が設置され、前記加熱チャンバ１６の前後内壁の間には加熱できるヒーターストリップ１５が固定的に装着され、前記敷き板２０の中にはマッサージ箱２５が固定的に装着され、前記マッサージ箱２５の中にはマッサージできるマッサージ機構７０が設置され、前記マッサージ機構７０は前記マッサージ箱２５の中に設置されている回転チャンバ３３を含み、前記回転チャンバ３３の後側内壁の中には前記マッサージ機構７０に動力を提供するモータ３８が固定的に装着され、前記敷き板２０の頂部端面には保温できる綿布１１が固定的に装着され、前記綿布１１の前側端面には輪ゴム１３が固定的に装着され、前記綿布１１の後側端面には線入り口１４が設置され、前記綿布１１の後側端面にはマウスのワイヤを巻き取ることができる巻き取り機構８０が固定的に装着されている。
【００１２】
前記マッサージ機構７０はまた、前記モータ３８の前向きの出力軸の前側端面に固定的に装着されている回転ロッド３１を含み、前記回転ロッド３１には回転盤３２が固定的に装着され、前記回転盤３２の前側端面にはヒンジ連結ロッド２６がヒンジにより連結され、前記回転チャンバ３３の右側にはラックチャンバ３６が連通して設置され、前記ラックチャンバ３６の中にはラック３４がスライドできるように装着され、前記ラック３４が前記ヒンジ連結ロッド２６とヒンジにより連結され、前記ラックチャンバ３６の上方にはマッサージチャンバ３０が左右対称的に連通して設置され、前記マッサージチャンバ３０の前後内壁の間には補助ロッド２８が回転できるように装着され、前記補助ロッド２８にはギヤ３５が固定的に装着され、前記ギヤ３５が前記ラック３４と噛み合っており、前記補助ロッド２８において前記ギヤ３５の前側にはマッサージロッド５１が固定的に装着され、前記マッサージロッド５１には伝動ロッド２９が左右対称的に回転できるように装着され、前記伝動ロッド２９にはマッサージ輪２７が固定的に装着され、前記マッサージ箱２５の頂部端面は軟質材料であり、これによりマッサージをする時、モータ３８が起動して回転ロッド３１を連動させて回転させ、回転ロッド３１が回転して回転盤３２を連動させて回転させ、回転盤３２がヒンジ連結ロッド２６によりラック３４を連動させて左右へ移動させ、ラック３４が左右へ移動してギヤ３５とマッサージロッド５１を往復回転させ、マッサージ輪２７が手部をマッサージすることができる。
【００１３】
前記巻き取り機構８０は前記綿布１１の後側端面に固定的に装着されている巻き取り箱４５を含み、前記巻き取り箱４５の中には前記線入り口１４と連通している巻き取りチャンバ４６が設置され、前記巻き取りチャンバ４６の左右内壁の間には固定板４８が固定的に装着され、前記固定板４８の後側端面には前記巻き取り箱４５の後側端面を貫通している巻き取りロッド４４が回転できるように装着され、前記巻き取りロッド４４の後側端面にはつまみ４３が固定的に装着され、前記巻き取り箱４５の左側端面には固定ブロック４１が前後対称的に固定的に装着され、前後の前記固定ブロック４１の間には連結ロッド４０が回転できるように装着され、前記連結ロッド４０には連結板３９が固定的に装着され、前記巻き取りチャンバ４６の後側内壁には線出孔４２が設置され、前記巻き取り箱４５の頂部端面には上へ開口した引っ掛かり溝４７が設置され、前記連結板３９にはカバー板４９が固定的に装着され、前記カバー板４９の底部端面には引っ掛かりブロック５０が固定的に装着され、前記引っ掛かりブロック５０が前記引っ掛かり溝４７の中に引っかかることができ、これによりマウスのワイヤを線入り口１４を通して巻き取りロッド４４に巻き取り、また線出孔４２を通して出すことができ、マウスカバー内のマウスのワイヤの長さを調整しようとする時、つまみ４３を回転させることにより巻き取りロッド４４を連動させて回転させ、これによりマウスカバー内のマウスのワイヤの長さを調整することを実現する。
【００１４】
使用するとき、パッド１２を使用して腕を支持する時、パッド１２を引き動かしてパッド１２と敷き板２０との間の距離を調整し、パッド１２の腕を支持する位置を調整し、マッサージをする時、モータ３８が起動して回転ロッド３１を連動させて回転させ、回転ロッド３１が回転して回転盤３２を連動させて回転させ、回転盤３２がヒンジ連結ロッド２６によりラック３４を連動させて左右へ移動させ、ラック３４が左右へ移動してギヤ３５とマッサージロッド５１を往復回転させ、マッサージ輪２７が手部をマッサージすることができ、マウスのワイヤを線入り口１４を通して巻き取りロッド４４に巻き取り、また線出孔４２を通して出すことができ、マウスカバー内のマウスのワイヤの長さを調整しようとする時、つまみ４３を回転させることにより巻き取りロッド４４を連動させて回転させ、これによりマウスカバー内のマウスのワイヤの長さを調整することを実現する。
【００１５】
本発明の有益効果は：本発明は加熱保温機能を備えると同時に使用者の手部をマッサージすることができ、使用者の手部の疲れを取り、またパッドを移動することにより使用者が腕を支持する位置を調整でき、巻き取り機構はマウスのワイヤを巻き取って収納することができ、普及の価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181547.tif 000003
【図２】
2020181547.tif 000004
【図３】
2020181547.tif 000005
【図４】
2020181547.tif 000006
【図５】
2020181547.tif 000007
【図６】
2020181547.tif 000008
【図７】
2020181547.tif 000009
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
正面視で、敷き板を含み、前記敷き板の中には前へ開口したスライド溝が左右対称的に設置され、前記スライド溝の中にはスライドロッドがスライドできるように装着され、前記スライドロッドの中にはリミット溝が設置され、前記スライド溝にはばねチャンバが連通して設置され、前記ばねチャンバの中にはリミットブロックがスライドできるように装着され、前記リミットブロックが前記リミット溝の中に引っかかることができ、前記リミットブロックと前記ばねチャンバとの間にはばねが固定的に装着され、左右の前記スライドロッドの前側端面には腕を支持できるパッドが固定的に装着され、前記パッドを使用して腕を支持する時、前記パッドを引き動かして前記パッドと前記敷き板との間の距離を調整し、前記パッドの腕を支持する位置を調整し、前記敷き板の中には加熱箱が固定的に装着され、前記加熱箱の中には加熱チャンバが設置され、前記加熱チャンバの前後内壁の間には加熱できるヒーターストリップが固定的に装着され、前記敷き板の中にはマッサージ箱が固定的に装着され、前記マッサージ箱の中にはマッサージできるマッサージ機構が設置され、前記マッサージ機構は前記マッサージ箱の中に設置されている回転チャンバを含み、前記回転チャンバの後側内壁の中には前記マッサージ機構に動力を提供するモータが固定的に装着され、前記敷き板の頂部端面には保温できる綿布が固定的に装着され、前記綿布の前側端面には輪ゴムが固定的に装着され、前記綿布の後側端面には線入り口が設置され、前記綿布の後側端面にはマウスのワイヤを巻き取ることができる巻き取り機構が固定的に装着され、
前記マッサージ機構はまた、前記モータの前向きの出力軸の前側端面に固定的に装着されている回転ロッドを含み、前記回転ロッドには回転盤が固定的に装着され、前記回転盤の前側端面にはヒンジ連結ロッドがヒンジにより連結され、前記回転チャンバの右側にはラックチャンバが連通して設置され、前記ラックチャンバの中にはラックがスライドできるように装着され、前記ラックが前記ヒンジ連結ロッドとヒンジにより連結され、前記ラックチャンバの上方にはマッサージチャンバが左右対称的に連通して設置され、前記マッサージチャンバの前後内壁の間には補助ロッドが回転できるように装着され、前記補助ロッドにはギヤが固定的に装着され、前記ギヤが前記ラックと噛み合っており、前記補助ロッドにおいて前記ギヤの前側にはマッサージロッドが固定的に装着され、前記マッサージロッドには伝動ロッドが左右対称的に回転できるように装着され、前記伝動ロッドにはマッサージ輪が固定的に装着され、前記マッサージ箱の頂部端面は軟質材料であり、マッサージをする時、前記モータが起動して前記回転ロッドを連動させて回転させ、前記回転ロッドが回転して前記回転盤を連動させて回転させ、前記回転盤が前記ヒンジ連結ロッドにより前記ラックを連動させて左右へ移動させ、前記ラックが左右へ移動して前記ギヤと前記マッサージロッドを往復回転させ、前記マッサージ輪が手部をマッサージすることができ、
前記巻き取り機構は前記綿布の後側端面に固定的に装着されている巻き取り箱を含み、前記巻き取り箱の中には前記線入り口と連通している巻き取りチャンバが設置され、前記巻き取りチャンバの左右内壁の間には固定板が固定的に装着され、前記固定板の後側端面には前記巻き取り箱の後側端面を貫通している巻き取りロッドが回転できるように装着され、前記巻き取りロッドの後側端面にはつまみが固定的に装着され、前記巻き取り箱の左側端面には固定ブロックが前後対称的に固定的に装着され、前後の前記固定ブロックの間には連結ロッドが回転できるように装着され、前記連結ロッドには連結板が固定的に装着され、前記巻き取りチャンバの後側内壁には線出孔が設置され、前記巻き取り箱の頂部端面には上へ開口した引っ掛かり溝が設置され、前記連結板にはカバー板が固定的に装着され、前記カバー板の底部端面には引っ掛かりブロックが固定的に装着され、前記引っ掛かりブロックが前記引っ掛かり溝の中に引っかかることができ、マウスのワイヤを前記線入り口を通して前記巻き取りロッドに巻き取り、また前記線出孔を通して出すことができ、マウスカバー内のマウスのワイヤの長さを調整しようとする時、前記つまみを回転させることにより前記巻き取りロッドを連動させて回転させ、これによりマウスカバー内のマウスのワイヤの長さを調整することを実現することを特徴とするマウスカバー。
【手続補正２】
【補正対象書類名】明細書
【補正対象項目名】全文
【補正方法】変更
【補正の内容】
【発明の詳細な説明】
【技術分野】
【０００１】
本発明はマウスカバー分野を取り上げて、具体的にはマウスカバーである。
【背景技術】
【０００２】
一般的なマウスカバーは加熱保温の機能だけを有し、使用者の手部をマッサージすることができなく、しかも一般的なマウスカバーはパッドによって腕を支持する位置を調整できなく、マウスカバーを使用する時に使用者を不快にさせ、他にマウスのワイヤを巻いて収納することもできない。
【先行技術文献】
【特許文献】
【０００３】
【特許文献１】中国特許出願公開第１０６８５５７５３号明細書
【発明の概要】
【発明が解決しようとする課題】
【０００４】
本発明はマウスカバーを提供し、従来技術における上記欠点を解消することを目的とする。
【課題を解決するための手段】
【０００５】
本発明の実施例のマウスカバーは、敷き板を含み、前記敷き板の中には前へ開口したスライド溝が左右対称的に設置され、前記スライド溝の中にはスライドロッドがスライドできるように装着され、前記スライドロッドの中にはリミット溝が設置され、前記スライド溝にはばねチャンバが連通して設置され、前記ばねチャンバの中にはリミットブロックがスライドできるように装着され、前記リミットブロックが前記リミット溝の中に引っかかることができ、前記リミットブロックと前記ばねチャンバとの間にはばねが固定的に装着され、左右の前記スライドロッドの前側端面には腕を支持できるパッドが固定的に装着され、前記パッドを使用して腕を支持する時、前記パッドを引き動かして前記パッドと前記敷き板との間の距離を調整し、前記パッドの腕を支持する位置を調整し、前記敷き板の中には加熱箱が固定的に装着され、前記加熱箱の中には加熱チャンバが設置され、前記加熱チャンバの前後内壁の間には加熱できるヒーターストリップが固定的に装着され、前記敷き板の中にはマッサージ箱が固定的に装着され、前記マッサージ箱の中にはマッサージできるマッサージ機構が設置され、前記マッサージ機構は前記マッサージ箱の中に設置されている回転チャンバを含み、前記回転チャンバの後側内壁の中には前記マッサージ機構に動力を提供するモータが固定的に装着され、前記敷き板の頂部端面には保温できる綿布が固定的に装着され、前記綿布の前側端面には輪ゴムが固定的に装着され、前記綿布の後側端面には線入り口が設置され、前記綿布の後側端面にはマウスのワイヤを巻き取ることができる巻き取り機構が固定的に装着されている。
【０００６】
更の技術プランとしては、前記マッサージ機構はまた、前記モータの前向きの出力軸の前側端面に固定的に装着されている回転ロッドを含み、前記回転ロッドには回転盤が固定的に装着され、前記回転盤の前側端面にはヒンジ連結ロッドがヒンジにより連結され、前記回転チャンバの右側にはラックチャンバが連通して設置され、前記ラックチャンバの中にはラックがスライドできるように装着され、前記ラックが前記ヒンジ連結ロッドとヒンジにより連結され、前記ラックチャンバの上方にはマッサージチャンバが左右対称的に連通して設置され、前記マッサージチャンバの前後内壁の間には補助ロッドが回転できるように装着され、前記補助ロッドにはギヤが固定的に装着され、前記ギヤが前記ラックと噛み合っており、前記補助ロッドにおいて前記ギヤの前側にはマッサージロッドが固定的に装着され、前記マッサージロッドには伝動ロッドが左右対称的に回転できるように装着され、前記伝動ロッドにはマッサージ輪が固定的に装着され、前記マッサージ箱の頂部端面は軟質材料である。
【０００７】
更の技術プランとしては、前記巻き取り機構は前記綿布の後側端面に固定的に装着されている巻き取り箱を含み、前記巻き取り箱の中には前記線入り口と連通している巻き取りチャンバが設置され、前記巻き取りチャンバの左右内壁の間には固定板が固定的に装着され、前記固定板の後側端面には前記巻き取り箱の後側端面を貫通している巻き取りロッドが回転できるように装着され、前記巻き取りロッドの後側端面にはつまみが固定的に装着され、前記巻き取り箱の左側端面には固定ブロックが前後対称的に固定的に装着され、前後の前記固定ブロックの間には連結ロッドが回転できるように装着され、前記連結ロッドには連結板が固定的に装着され、前記巻き取りチャンバの後側内壁には線出孔が設置され、前記巻き取り箱の頂部端面には上へ開口した引っ掛かり溝が設置され、前記連結板にはカバー板が固定的に装着され、前記カバー板の底部端面には引っ掛かりブロックが固定的に装着され、前記引っ掛かりブロックが前記引っ掛かり溝の中に引っかかることができる。
【発明の効果】
【０００８】
本発明の有益効果は：本発明は加熱保温機能を備えると同時に使用者の手部をマッサージすることができ、使用者の手部の疲れを取り、またパッドを移動することにより使用者が腕を支持する位置を調整でき、巻き取り機構はマウスのワイヤを巻き取って収納することができ、普及の価値がある。
【図面の簡単な説明】
【０００９】
下記に図１〜７をあわせて本発明について詳しく説明し、本願に記載の各方向は、図１における観察方向と同じである。
【００１０】
【図１】図１は本発明の構成模式図
【図２】図２は図１の中のＡ−Ａ方向の断面構成模式図
【図３】図３は図１の中のＢ−Ｂ方向の断面構成模式図
【図４】図４は図３の中のＣの拡大模式図
【図５】図５は図３の中のＤ−Ｄ方向の断面構成模式図
【図６】図６は図４の中のＥ−Ｅ方向の断面構成模式図
【図７】図７は図５の中のＦ−Ｆ方向の断面構成模式図
【発明を実施するための形態】
【００１１】
図１〜７を参照し、本発明の実施例のマウスカバーは、敷き板２０を含み、前記敷き板２０の中には前へ開口したスライド溝１８が左右対称的に設置され、前記スライド溝１８の中にはスライドロッド２１がスライドできるように装着され、前記スライドロッド２１の中にはリミット溝１９が設置され、前記スライド溝１８にはばねチャンバ２３が連通して設置され、前記ばねチャンバ２３の中にはリミットブロック２２がスライドできるように装着され、前記リミットブロック２２が前記リミット溝１９の中に引っかかることができ、前記リミットブロック２２と前記ばねチャンバ２３との間にはばね２４が固定的に装着され、左右の前記スライドロッド２１の前側端面には腕を支持できるパッド１２が固定的に装着され、前記パッド１２を使用して腕を支持する時、前記パッド１２を引き動かして前記パッド１２と前記敷き板２０との間の距離を調整し、前記パッド１２の腕を支持する位置を調整し、前記敷き板２０の中には加熱箱１７が固定的に装着され、前記加熱箱１７の中には加熱チャンバ１６が設置され、前記加熱チャンバ１６の前後内壁の間には加熱できるヒーターストリップ１５が固定的に装着され、前記敷き板２０の中にはマッサージ箱２５が固定的に装着され、前記マッサージ箱２５の中にはマッサージできるマッサージ機構７０が設置され、前記マッサージ機構７０は前記マッサージ箱２５の中に設置されている回転チャンバ３３を含み、前記回転チャンバ３３の後側内壁の中には前記マッサージ機構７０に動力を提供するモータ３８が固定的に装着され、前記敷き板２０の頂部端面には保温できる綿布１１が固定的に装着され、前記綿布１１の前側端面には輪ゴム１３が固定的に装着され、前記綿布１１の後側端面には線入り口１４が設置され、前記綿布１１の後側端面にはマウスのワイヤを巻き取ることができる巻き取り機構８０が固定的に装着されている。
【００１２】
前記マッサージ機構７０はまた、前記モータ３８の前向きの出力軸の前側端面に固定的に装着されている回転ロッド３１を含み、前記回転ロッド３１には回転盤３２が固定的に装着され、前記回転盤３２の前側端面にはヒンジ連結ロッド２６がヒンジにより連結され、前記回転チャンバ３３の右側にはラックチャンバ３６が連通して設置され、前記ラックチャンバ３６の中にはラック３４がスライドできるように装着され、前記ラック３４が前記ヒンジ連結ロッド２６とヒンジにより連結され、前記ラックチャンバ３６の上方にはマッサージチャンバ３０が左右対称的に連通して設置され、前記マッサージチャンバ３０の前後内壁の間には補助ロッド２８が回転できるように装着され、前記補助ロッド２８にはギヤ３５が固定的に装着され、前記ギヤ３５が前記ラック３４と噛み合っており、前記補助ロッド２８において前記ギヤ３５の前側にはマッサージロッド５１が固定的に装着され、前記マッサージロッド５１には伝動ロッド２９が左右対称的に回転できるように装着され、前記伝動ロッド２９にはマッサージ輪２７が固定的に装着され、前記マッサージ箱２５の頂部端面は軟質材料であり、これによりマッサージをする時、モータ３８が起動して回転ロッド３１を連動させて回転させ、回転ロッド３１が回転して回転盤３２を連動させて回転させ、回転盤３２がヒンジ連結ロッド２６によりラック３４を連動させて左右へ移動させ、ラック３４が左右へ移動してギヤ３５とマッサージロッド５１を往復回転させ、マッサージ輪２７が手部をマッサージすることができる。
【００１３】
前記巻き取り機構８０は前記綿布１１の後側端面に固定的に装着されている巻き取り箱４５を含み、前記巻き取り箱４５の中には前記線入り口１４と連通している巻き取りチャンバ４６が設置され、前記巻き取りチャンバ４６の左右内壁の間には固定板４８が固定的に装着され、前記固定板４８の後側端面には前記巻き取り箱４５の後側端面を貫通している巻き取りロッド４４が回転できるように装着され、前記巻き取りロッド４４の後側端面にはつまみ４３が固定的に装着され、前記巻き取り箱４５の左側端面には固定ブロック４１が前後対称的に固定的に装着され、前後の前記固定ブロック４１の間には連結ロッド４０が回転できるように装着され、前記連結ロッド４０には連結板３９が固定的に装着され、前記巻き取りチャンバ４６の後側内壁には線出孔４２が設置され、前記巻き取り箱４５の頂部端面には上へ開口した引っ掛かり溝４７が設置され、前記連結板３９にはカバー板４９が固定的に装着され、前記カバー板４９の底部端面には引っ掛かりブロック５０が固定的に装着され、前記引っ掛かりブロック５０が前記引っ掛かり溝４７の中に引っかかることができ、これによりマウスのワイヤを線入り口１４を通して巻き取りロッド４４に巻き取り、また線出孔４２を通して出すことができ、マウスカバー内のマウスのワイヤの長さを調整しようとする時、つまみ４３を回転させることにより巻き取りロッド４４を連動させて回転させ、これによりマウスカバー内のマウスのワイヤの長さを調整することを実現する。
【００１４】
使用するとき、パッド１２を使用して腕を支持する時、パッド１２を引き動かしてパッド１２と敷き板２０との間の距離を調整し、パッド１２の腕を支持する位置を調整し、マッサージをする時、モータ３８が起動して回転ロッド３１を連動させて回転させ、回転ロッド３１が回転して回転盤３２を連動させて回転させ、回転盤３２がヒンジ連結ロッド２６によりラック３４を連動させて左右へ移動させ、ラック３４が左右へ移動してギヤ３５とマッサージロッド５１を往復回転させ、マッサージ輪２７が手部をマッサージすることができ、マウスのワイヤを線入り口１４を通して巻き取りロッド４４に巻き取り、また線出孔４２を通して出すことができ、マウスカバー内のマウスのワイヤの長さを調整しようとする時、つまみ４３を回転させることにより巻き取りロッド４４を連動させて回転させ、これによりマウスカバー内のマウスのワイヤの長さを調整することを実現する。
【００１５】
本発明の有益効果は：本発明は加熱保温機能を備えると同時に使用者の手部をマッサージすることができ、使用者の手部の疲れを取り、またパッドを移動することにより使用者が腕を支持する位置を調整でき、巻き取り機構はマウスのワイヤを巻き取って収納することができ、普及の価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。